(57)【要約】【課題】作業者が導水口まで下りていくことなく、導水口の保守工事を簡単に、コスト安価に実施できるようにし、水位計の計測精度を向上させる。【解決手段】水位計測槽４に通じる導水口５近傍までレール部材６を敷設し、レール部材６に沿って巻き上げ手段１４により昇降するダンパー部材Ｂを設け、同ダンパー部材Ｂが下降されたときには、導水口５に対面して閉じる位置に設置され、上昇されたときには、導水口５が開放されるように形成するとともに、ダンパー部材Ｂを、導水口５に対面する面に、水を導水させる複数の穴１０ａが設けられた金属製の板状部材１０と、板状部材１０に添設され、水の流通のみを許容する緩衝部材１１とで形成し、ダンパー部材だけを移動させる。また、ダンパー部材Ｂを、板状部材１０の穴１０ａに連通する穴１２ａを設けたボックス１２に収納して組み込み、レール部材で移動させる。さらには、ボックスだけを導水口近傍に固定しておき、ダンパー部材をレール部材に沿って移動させる。【選択図】図９
2006249701.tif 000002
【特許請求の範囲】
【請求項１】
水位計測槽に通じる導水口近傍までレール部材を敷設し、前記レール部材に沿って巻き上げ手段により昇降するダンパー部材を設け、同ダンパー部材が下降されたときには、前記導水口に対面して閉じる位置に設置され、上昇されたときには、前記導水口が開放されるように形成するとともに、前記ダンパー部材は、前記導水口に対面する面に、水を導水させる複数の穴を設けた金属製の板状部材と、前記板状部材に添設され、水の流通のみを許容する緩衝部材とで形成されたことを特徴とする水位計測用導水口の導水装置。
【請求項２】
前記ダンパー部材の前記緩衝部材は、一対の前記板状部材で挟んで一体のサンドイッチ構造に形成されたことを特徴とする請求項１記載の水位計測用導水口の導水装置。
【請求項３】
前記ダンパー部材は、前記板状部材の穴に連通する穴を形成した金属製のボックスに抜き差し自在に収納して一体化したダンパー手段に形成されたことを特徴とする請求項１または２記載の水位計測用導水口の導水装置。
【請求項４】
前記ダンパー部材を収納する金属製のボックスは、前記レール部材下部の前記導水口に対面する位置で導水口を塞ぐように固定されるともに、前記ボックスに、前記ダンパー部材が前記ボックスに収納されたときに、前記板状部材の穴に連通する穴が形成されたことを特徴とする請求項１または２記載の水位計測用導水口の導水装置。
【請求項５】
前記板状部材に設けた穴は、前記ボックスに設けた穴の位置をずらすように設けられたことを特徴とする請求項１〜４のいずれか一項に記載の水位計測用導水口の導水装置。
【請求項６】
水位計測槽に通じる導水口近傍まで敷設されたレール部材、および、前記レール部材に沿って昇降可能に設けられ、前記導水口に対面する位置に下降したときに、導水口を閉じるように設置されるダンパー手段を具備するとともに、前記ダンパー手段は、前記導水口を塞ぐ面に水を導水させる複数の穴を設けたボックスと、前記ボックスに抜き差し自在に収納され、前記穴に対応する位置に水を導水させる複数の穴を形成した一対の金属板、および前記一対の金属板間に設けられ、波浪を緩衝して水の流通のみを許容する緩衝部材により形成されるダンパー部材とで構成されたことを特徴とする水位計測用導水口の導水装置。
【請求項７】
水位計測槽に通じる導水口近傍まで敷設されたレール部材、前記レール部材下部の前記導水口を塞ぐ位置に対面するように固定され、前記導水口に対面する面に水を導水させる複数の穴を設けたボックス、および、前記レール部材に沿って昇降可能に形成され、下降位置に到達したときに、前記ボックスに収納されるダンパー部材を具備するとともに、前記ダンパー部材は、前記ボックスの穴に対応する位置に水を導水させる複数の穴を形成した一対の金属板と、前記一対の金属板間に設けられ、波浪を緩衝して水の流通のみを許容するように形成した緩衝部材とで構成されたことを特徴とする水位計測用導水口の導水装置。
【発明の詳細な説明】
【技術分野】
【０００１】
本発明は、水位観測用水位塔の計測機能維持および水位応動調整等をコスト安価に行える水位計測用導水口の導水装置に関する。
【背景技術】
【０００２】
ダムや堰など川を堰き止めて水を蓄える施設（以下、「ダム」という）においては、ダム水の水位データは、ダムを運用管理する上で重要な基礎データとなる。計測された水位データは、流入量やダム放流量をはじめとするダムの重要な種々のデータを得るための基礎データとして用いられ、計算で得られた諸データを基にして種々のダム操作が実行される。そこで、係るダム操作が円滑に実行されるためには、例えば、水位塔内に配置された水位計で計測される水面の水位は、常に水位塔外部のダム水位と応答遅れが少ない状態で反映され、水位計によるダム水位の計測精度を維持することが要請される。
【０００３】
ところで、図１５に示す従来装置においては、ダムの堰堤に付設される水位塔０１は、フロート型の水位計０２を設置する水位計測槽０３を有し、同計測槽０３の下部にダム上流側と連通してダムに貯水された水（ダム上流側の水）Ｗの出入りを可能にする導水口０４が設けられる。この導水口０４は、常時水深約６ｍ近辺の水中で浸漬された状態にあり、水中に浮遊する土砂や塵芥物が導水口０４に堆積するのを回避するために、鉄板０５の四隅をアンカーボルト０６で固定して、導水口０４に蓋をしている。
【０００４】
上記鉄板０５は、波浪に対する強度を有しており、土砂や塵芥物の侵入を阻止しつつ、水位計測槽０３側へダム水を円滑に導水するため、複数の穴０７が設けられている。これら穴０７の大きさは、波浪による影響で、水位計測槽０３の水位が激しく乱高下するのを抑制すると同時に、水中の土砂や塵芥物が水位計測槽０３内に侵入するのを防止する形状に設定されている。
【０００５】
水位計０２は、ワイヤー０９によって水位計本体０１０に接続され、水位計０２の位置がワイヤー０９を通して水位計本体０１０で計測可能になっている。
【０００６】
このように構成された従来装置において、ダム上流側の水Ｗは、鉄板０５の穴０７を介して水位計測槽０３に連通しているので、同計測槽０３内へダム上流側のダム水Ｗが導水され、ダム水Ｗと同じ水位となる。これにより、水位計０２は、水位計測槽０３の水位を計測し、ダム水位の計測精度を維持するようにしている。
【０００７】
なお、上記従来装置では、水位計測槽０３へ塵芥を侵入させないために、鉄板０５を固定したが、この代わりに、特許文献１（特開平１１−１７２６６２号公報）、特許文献２（特開２０００−８３５０号公報）、および特許文献３（特開２００２−３６３９５０号公報）などの技術を用いることも考えられる。すなわち、これら特許文献に記載の技術は、いずれも、取水口の流路に所謂スクリーンを設置し、取水中に混在するゴミ、流木、クラゲなどの塵芥を補足して除去し、発電能力の低下を来さないようにするものである。しかしながら、これらスクリーンは、目が粗いため、土砂の侵入を抑制するのが困難であるだけでなく、波浪の影響を水位計０２に与え易いので、転用することができないものである。
【０００８】
また、上記従来装置では、水位塔０１に設備された水位計測槽０３で水位計測を行うものであるが、特許文献４（特開２０００−８８６２８号公報）には、ダムの堰堤にダム水を流出入させるように形成した容器をダム水中に浸漬し、これにより水位を計測するようにした技術が開示されている。ところが、特許文献４の容器は、その内部に、水中ポンプ、排水口、水位上昇スイッチなどを内蔵する複雑な構造であり、気候条件等に左右され易く、維持管理コストが高く、到底採用し難いものである。
【特許文献１】特開平１１−１７２６６２号公報
【特許文献２】特開２０００−８３５０号公報
【特許文献３】特開２００２−３６３９５０号公報
【特許文献４】特開２０００−８８６２８号公報
【発明の開示】
【発明が解決しようとする課題】
【０００９】
しかしながら、上記従来技術にあっては、水位計測槽０３は、鉄板０５に設けられた穴０７を介して直接に連通した状態にあるため、波浪による影響を受けて、計測水位が乱高下し易くなり、また、導水口０４に土砂や塵芥物等が流入して沈殿したり付着したりする。水位計測槽０３の導水口０４が目詰まりを起こすと、水位計測槽０３内の水位が、ダム水位の変化に応答できなくなり、ダム操作に支障を来す恐れがある。このように、保守工事が必要となった場合には、潜水作業による保守工事、あるいは、ダム水を抜水して鉄板０５を露呈させ、アンカーボルト０６を抜いて鉄板０５を取り外して土砂などの除去を行うという保守工事を行っていた。例えば、潜水作業による保守工事の場合には、一旦、作業停電を実施した状態で、鉄板０５を取り外して導水口０４回りの土砂や塵芥物等の除去工事を行っていた。このため、潜水作業や減電を行わなければならないため、それだけコストが嵩張る問題があった。
【００１０】
また、ダム水の抜水による保守工事の場合には、導水口０４を露呈させた状態で保守工事を実施するため、保守工事を行う回数を多くするのが困難となる。その結果、水位計測精度の低下を生じやすくなってしまう問題があった。
【００１１】
本発明は、上記に鑑みて工夫されたものであり、作業者がその都度、導水口まで下りていくことなく、遠隔操作により導水口の保守工事を簡単に、コスト安価に実施できるようにし、水位計の計測精度を向上させるようにした保守点検コストの安価な水位計測用導水口の導水装置を提供することを目的とするものである。
【課題を解決するための手段】
【００１２】
本発明は、上記課題を解決するために、次のような手段を講ずることとした。すなわち、請求項１記載の発明は、水位計測用導水口の導水装置であって、水位計測槽に通じる導水口近傍までレール部材を敷設し、前記レール部材に沿って巻き上げ手段により昇降するダンパー部材を設け、同ダンパー部材が下降されたときには、前記導水口に対面して閉じる位置に設置され、上昇されたときには、前記導水口が開放されるように形成するとともに、前記ダンパー部材は、前記導水口に対面する面に、水を導水させる複数の穴が設けられた金属製の板状部材と、前記板状部材に添設され、水の流通のみを許容する緩衝部材とで形成されたことを特徴とする。
【００１３】
したがって、請求項１記載の発明によれば、巻き上げ手段によりレール部材に案内されて水位計測用の導水口近傍まで下降されたダンパー部材が、導水口に対面して閉じる位置に設置される。ダム水や河川水（以下、「ダム水」という）側と水位計測槽とは、板状部材の複数の穴と緩衝部材とを介して連通しているので、ダム水は板状部材の穴から緩衝部材を透過して導水口を経由して水位計測槽側に流出入する。金属製の板状部材であるので、剛性が高く、上記複数の穴も波浪の影響を最小限に食い止める程度の大きさに設定されている。したがって、ダム水に波浪が生じた場合には、その波浪は、板状部材に設けた複数の穴と、緩衝部材の存在により遮断されるようになっているので、水位計測槽内への影響を最小限に抑えることができる。
【００１４】
また、板状部材の穴の存在により、土砂や流木などの塵芥物の侵入を食い止めることができる。他方、板状部材には緩衝部材が添設されているので、土砂などが導水口へ流入するのが抑制される。その結果、本発明の水位計測用導水口の導水装置によれば、ダンパー部材への土砂や塵芥物の付着や、導水口内へ侵入する土砂や塵芥物の堆積などによるダンパー部材の目詰まりを抑制して、水位計測槽に設けた水位計による応答遅れによる計測精度の悪化を回避できる。
【００１５】
また、水位計の応動が顕著に早まり、あるいは遅くなってきた場合には、ダンパー部材の保守点検作業を行う必要が生じるが、その場合には、ダム水中に浸漬されたダンパー部材を巻き上げ手段により巻き上げて引き上げるだけで、陸上でダンパー部材から土砂やゴミといった塵芥物を取り除いて保守点検を容易に行えるようになる。
【００１６】
なお、この際なされる保守点検作業としては、上記の他に、緩衝部材の水透過性能を調整して変更したり、板状部材の穴の大きさを適宜のものに置換変更するなどして、水位計の応答状態に応じて、水位変動に対する応答を早めたり、遅くしたり調整することが可能となり、計測精度向上に向けた作業を効率的に行えるものである。
【００１７】
さらに、導水口に土砂などが溜まっている場合には、ダンパー部材を引き上げて導水口を全開放するだけで、導水口に溜まった土砂などを水位計測槽側の水が導水口から流出することで強制的に洗い流すことができる。その結果、潜水作業でなく陸上からの巻き上げ手段による遠隔操作により、導水口周辺の保守清掃が自動的に行えるようになる。
【００１８】
また、ダンパー部材は、レール部材によって昇降させるだけで、ダンパー部材を導水口に確実に導水口を塞ぐようにセットしたり、引き上げたりすることが可能となる。そして、従来行っていたようなアンカーボルトによる締結作業を不要化でき、それだけ保守点検の効率化を図れるようになる。  
【００１９】
また、請求項２記載の発明は、請求項１記載の水位計測用導水口の導水装置に係り、前記ダンパー部材の前記緩衝部材は、一対の前記板状部材で挟んで一体のサンドイッチ構造に形成されたことを特徴とする。この請求項２記載の発明によれば、ダンパー部材の緩衝部材を、一対の板状部材で両側から挟んだサンドイッチ構造に形成しているので、緩衝部材が波浪により変形するのを防止できる。その結果、緩衝部材による土砂などが導水口側へ流入するのを効果的に阻止でき、耐久性にすぐれたダンパー部材を実現できるようになる。また、板状部材を緩衝部材の両側に配置したことで、各板状部材に設けた複数の穴が増加することとなり、土砂や塵芥物の侵入防止効果を一層向上できる。
【００２０】
また、請求項３記載の発明は、請求項１または２記載の水位計測用導水口の導水装置に係り、前記ダンパー部材は、前記板状部材の穴に連通する穴を形成した金属製のボックスに抜き差し自在に収納して一体化したダンパー手段に形成されたことを特徴とする。
【００２１】
この請求項３記載の発明によれば、板状部材と緩衝部材とでなるダンパー部材を、金属製のボックスに出し入れ自在に収納してユニット化したダンパー手段として構成したので、ダンパー部材はボックスで保護されるので、耐久性を向上できる。また、保守点検時には、ユニット化されたボックス一体のダンパー手段をレール部材に沿って上方へ引き上げてから、陸上でダンパー部材をボックスから引き出して目詰まりを取り除く清掃を行ったり、別の部品と交換したりすることができ、保守点検を容易に行えるようになる。
【００２２】
また、請求項４記載の発明は、請求項１または２記載の水位計測用導水口の導水装置に係り、前記ダンパー部材を収納する金属製のボックスは、前記レール部材下部の前記導水口に対面する位置で導水口を塞ぐように固定されるともに、前記ボックスに、前記ダンパー部材が前記ボックスに収納されたときに、前記板状部材の穴に連通する穴が形成されたことを特徴とする。
【００２３】
この請求項４によれば、導水口に対面する位置に固定した金属製ボックスに、巻き上げ手段で降ろされてきた板状部材と緩衝部材とでなるダンパー部材を差し込んで収納したり、巻き上げたりするようになっている。このため、ダンパー部材だけをボックスから抜き差し可能となるので、ダンパー部材の保守点検作業の容易化が図れるようになる。
【００２４】
また、請求項５記載の発明は、請求項１〜４のいずれか一項に記載の水位計測用導水口の導水装置に係り、前記板状部材に設けた穴は、前記ボックスに設けた穴の位置をずらすように設けられたことを特徴とする。
【００２５】
この請求項５記載の発明によれば、板状部材に設けた穴が、ボックスに設けた穴の位置をずらすように設けているので、板状部材側の穴と、ボックス側の穴とを流通するダム水の流動量を任意に調整できようになる。その結果、台風時のように波浪が大きいときでも、波の影響を低減でき、また、導水口内外を流通する水量の微調整も簡単に行え、水位計測の測定精度を安定した状態に維持することが可能となる。
【００２６】
また、請求項６記載の発明は、水位計測用導水口の導水装置であって、水位計測槽に通じる導水口近傍まで敷設されたレール部材、および、前記レール部材に沿って昇降可能に設けられ、前記導水口に対面する位置に下降したときに、導水口を閉じるように設置されるダンパー手段を具備するとともに、前記ダンパー手段は、前記導水口を塞ぐ面に水を導水させる複数の穴を設けたボックスと、前記ボックスに抜き差し自在に収納され、前記穴に対応する位置に水を導水させる複数の穴を形成した一対の金属板、および前記一対の金属板間に設けられ、波浪を緩衝して水の流通のみを許容する緩衝部材により形成されるダンパー部材とで構成されたことを特徴とする。
【００２７】
この請求項６記載の発明によれば、レール部材に沿って昇降自在に設けられたダンパー手段が、導水口を塞ぐように設けられたときには、ダム水に波浪が生じても、その波浪は、ボックスおよび、または金属板に設けた複数の穴と、緩衝部材の存在により遮断され、水位計測槽内への影響を最小限に抑えることができる。また、ボックスおよび、または金属板の穴の存在により、土砂や流木などの塵芥物の侵入を食い止めることができる。さらに、金属板には緩衝部材が添設されているので、土砂などが導水口へ流入するのを効果的に抑制できるようになる。その結果、ダンパー手段への土砂や塵芥物の付着や、導水口内へ侵入する土砂や塵芥物の堆積などによるダンパー手段の目詰まりを抑制して、水位計測槽に設けた水位計による応答遅れによる計測精度の悪化を回避できる。
【００２８】
また、ダンパー手段を、例えば、巻き上げ手段を使用して引き上げることで、陸上でボックスから、金属板や緩衝部材を取り出して、土砂やゴミなどの塵芥物を取り除いて保守点検を容易に行える。緩衝部材の水透過性能を調整して変更したり、金属板の穴の大きさを適宜のものに置換変更するなどして、水位計の応答状態に応じて、水位変動に対する応答を早めたり、遅くしたり調整することもでき、計測精度向上に向けた作業を効率的に行える。
【００２９】
さらに、ダンパー手段を引き上げるだけで、導水口に溜まった土砂などを強制的に洗い出すことができ、潜水作業でなく陸上からの巻き上げ手段による遠隔操作により、導水口周辺の保守清掃が自動的に行えるようになる。
【００３０】
また、ダンパー手段は、レール部材によって昇降させるだけで、ダンパー手段を導水口にセットしたり、引き上げたりできるので、従来行っていたようなアンカーボルトによる締結作業を不要化でき、保守点検の効率化を図れるようになる。
【００３１】
また、請求項７記載の発明は、水位計測用導水口の導水装置であって、水位計測槽に通じる導水口近傍まで敷設されたレール部材、前記レール部材下部の前記導水口を塞ぐ位置に対面するように固定され、前記導水口に対面する面に水を導水させる複数の穴を設けたボックス、および、前記レール部材に沿って昇降可能に形成され、下降位置に到達したときに、前記ボックスに収納されるダンパー部材を具備するとともに、前記ダンパー部材は、前記ボックスの穴に対応する位置に水を導水させる複数の穴を形成した一対の金属板と、前記一対の金属板間に設けられ、波浪を緩衝して水の流通のみを許容するように形成した緩衝部材とで構成されたことを特徴とする。
【００３２】
この請求項７記載の発明が、請求項６記載の発明と相違する点は、請求項６の発明では、金属板と緩衝部材とで成るダンパー部材は、ボックスと一体の状態でレール部材を昇降する構成にしたが、請求項７記載の発明においては、金属板と緩衝部材とをユニット化したダンパー部材とボックスとを別体に形成し、ボックスだけを予め導水口に固定して設け、ダンパー部材をレール部材に沿って昇降させる構成にした点にある。
【００３３】
したがって、請求項７記載の発明も、ボックスを導水口に固定する点を除いては、ダンパー部材をレール部材に沿って昇降できるようにしているので、上記したように、請求項６記載の発明とほぼ同様の作用を有する。
【発明の効果】
【００３４】
本発明によれば、アンカーボルトの取り外しを不要化したので、ダム水中を潜水して作業を行う必要はなく、ダム抜水に関係なく導水口の状況管理を行え、保守点検作業をコスト安価に行え、導水口内へ侵入する土砂や塵芥物の堆積などによる目詰まりや、ダム水の波浪による影響を最小限に抑え、また、土砂などが導水口へ流入するのを抑制し、水位計測槽に設けた水位計による応答遅れによる計測精度の悪化を回避でき、さらに水位計の応答状態に応じて、水位変動に対する応答を調整することもでき、計測精度向上に向けた作業を効率的に実施できる。
【発明を実施するための最良の形態】
【００３５】
以下、本発明を実施するための最良の形態を、図面に示す各実施例に基づいて詳述する。
［第１実施例］
図１〜図９に示すように、ダムの堰堤１に付設した水位塔２の水位観測室３下方に、コンクリート製の水位計測槽４が設けられる。水位計測槽４は、縦方向に細長い形状の空間を有し、その下部に、例えば、四角形状のオープニングを形成する導水口５（図５参照）が、例えば、ダム水Ｗ側の水深６ｍ付近の位置で開口するように設けられ、ダム水Ｗ側と水位計測槽４とが連通してダム水Ｗを導水できるようになっている。図９に示すように、水位計測槽４に導水された水に、例えば、フロート型の水位計７が浮遊される。水位計７は、電源線や信号線などで成る複合ケーブル８を介して水位観測室３内に設けた水位計本体９に接続され、例えば、水位計７で検出されたデータ信号を、水位計本体９に記録させ、これを基にダム操作に必要な諸管理データが演算処理されるようになっている。
【００３６】
また、水位塔２の堰堤１の外壁面には、導水口５近傍にまで延びるレール部材６がほぼ垂直に敷設され、後述するダンパー部材を案内して昇降搬送するようになっている。すなわち、レール部材６は、断面コ字形状を有する一対のステンレス、あるいは鉄製のレール６ａで形成され、その上端は後述するダンパー部材を含むダンパー手段Ａ（図７（ｃ）参照）をレール部材６にはめ込み易くする末広がり状の受け入れ部６ｂ（図１参照）が形成される。レール部材６の下端は、導水口５の下部縁まで延びている。なお、レール部材６は、コ字型断面でなくてもよく、実質的にダンパー手段Ａをレール部材から逸脱しないように案内しながら安全確実に搬送できる断面形状（例えば、Ｉ型）、あるいは案内搬送できる機能を備えたものならどのような形態のものでもよい。
【００３７】
図５に示すように、導水口５の下縁には、その下縁に沿って、レール６ａの下端間を結合するストッパ板６ｇが設けられる。このストッパ板６ｇは、後述するダンパー手段Ａがストッパ板６ｇに係合することで、レール６ａの最下端に到達する位置を規定するものである。ダンパー手段Ａが最下端に到達してストッパ板６ｇに着座した姿勢になると、ダンパー手段Ａは導水口５を塞ぐように対面する。なお、ストッパ板６ｇに、合成樹脂製の緩衝ゴムや金属製のスプリングなどのショック緩和手段を適宜設けると良い。
【００３８】
また、導水口５の縦縁には、レール６ａが配置されるが、このとき、レール６ａの外側に沿って溶着されたブラケット６ｅが、アンカーボルト６ｃの締結により水位塔２の堰堤１の壁面に固定される。これにより、レール部材６の下端近傍は、ブラケット６ｃを介在して導水口５の縦縁に固定配置される。
【００３９】
また、導水口５から上方に存するレール部材６は、一対のレール６ａ間に平板状の横板６ｄが掛け渡されて溶着される（図３参照）。この横板６ｄは上下方向に梯子状に所定間隔毎に配置され、各横板６ｄを水位塔２の壁面に密着するように締結ボルト６ｆにより固定する。こうして、レール部材６は、水位塔２の外壁面に強固に敷設されることとなる。
【００４０】
次に、ダンパー手段Ａを説明する。ダンパー手段ａは、レール部材６に案内されて昇降するとともに、導水口５を開閉する開閉手段であり、図８に示すように、例えば、鉄製の板状部材（以下、「鉄板」という）１０と、緩衝部材１１とで構成されるダンパー部材Ｂと、ボックス１２とで構成される。
【００４１】
ボックス１２は、ダンパー部材Ｂを収納するフレームとしての機能を備え、上記レール部材６のコ字型溝にはめ込まれて案内されながら上下に移動可能に形成される。ボックス１２の素材は、例えば、防錆を考慮してステンレス材などの耐腐食性の金属素材で形成される。その基本形態は、内部は空洞で、外観が直方体状（そのうち上方の一面は、収納口となっている）の形状を有する。そして、導水口５に対面する面（表裏両面）にのみ、水を通して導水可能な複数個の穴（本実施例では、９個）１２ａが形成されている。
【００４２】
また、上記鉄板１０は、所定の機械的強度を有し、上記ボックス１２の表裏両面の内側に収納されるように、ほぼ四角形状の形状に形成される。その導水口５に対面する面には、上記ボックス１２の穴１２ａに対応させた位置に、穴１２ａとほぼ同じ大きさの穴１０ａが９個形成される。これにより、ボックス１２側の穴１２ａと、鉄板１０側の穴１０ａとが連通する。なお、穴１０ａおよび穴１２ａの大きさは、波浪の影響を最小限に抑制できるような形状に設定される。
【００４３】
緩衝部材１１は、鉄板１０とほぼ同一の平面形状を有し、その両面を一対の鉄板１０でサンドイッチ状に挟まれるようにして使用されるものである。この緩衝部材１１は、所定の厚みを備え、その材質要素は、通水性、つまり透過性を備え、例えば、石綿、ステンレス材などのような耐腐食性を有する繊維状の金属を綿状に固めたもの、スポンジ材、多孔質のセメント材、石材、チップ状の竹炭、木炭、活性炭などの炭材、竹材、麻、やしの実などを解繊した木質系繊維、合繊繊維、不織布など、あるいはこれら要素を混合圧縮して成型された態様のものが用いられる。緩衝部材１１の両面が、鉄板１０で挟持されることで、緩衝部材１１の型くずれを防止しえ耐久性を向上するようにしている。また、透過する水の流通量や水の汚濁の程度などに応じて、上記各要素の充填量を変化させて調整できるようになっている。
【００４４】
図８に示されるように、ボックス１２上方の開口面には、ボックス１２本体と同様に、例えば、ステンレス材のような耐食性の金属製素材で形成した蓋１３が、ボルト１３ｂを締結することによりボックス１２に取り付けられる。鉄板１０と緩衝部材１１を収納した後、蓋１３をボルト１３ｂで締結すると、図６、図７（ａ）、（ｂ）に示すように、ボックス１２に鉄板１０とダンパー部材Ｂは、遊びの無い状態で収納され、ダンパー手段Ａが構成されることとなる。
こうして構成されたダンパー手段Ａは、図７（ｃ）に示すように、緩衝部材１１が存在することにより、鉄板１０の穴１０ａおよびボックス１２の穴１２ａが導水口５と直接に連通するのを遮断する。これにより、波浪は緩衝部材１１で緩衝することができる。また、緩衝部材１１により水のみは流動させるが、泥、砂などの土砂や塵芥物は補足して導水口５へ流入するのを防止する。
【００４５】
ところで、蓋１３の上面には、ワイヤー結合部１３ａが設けられ、水位観測室３に設置した手巻き型の巻き上げ手段（手動ウィンチ）１４に巻装したワイヤー１５に連結される。なお、ウィンチ１４は、電動駆動型のものであってもよい。ダンパー手段Ａは、巻き上げ手段１４により、レール部材６に沿って上下に昇降搬送することができる。すなわち、ダンパー手段Ａがレール部材６の最下方位置にあるときには、ストッパ板６ｇで自動的に位置決めされ、導水口５の開口部に対面する（図３，図６参照）。この状態からダンパー手段Ａを手動ウィンチ１４で巻き上げると、図５に示すように導水口５は全開放される。
【００４６】
第１実施例の使用態様を説明する。上記ユニット化されたダンパー手段Ａを、レール部材６のコ字型の溝に嵌め込んで、ワイヤー１５で吊して手動ウィンチ１４に連結する。手動ウィンチ１５によりダンパー手段Ａをレール部材６に沿って下に下ろしていく。この作業は、ダム水を抜かない状態、抜いた状態のいずれの状態でも自由に行える。ダンパー手段Ａは、自重でレール部材６のコ字型溝内に沿ってその最下端に到達し、ストッパ板６ｇに着座する。ダンパー手段Ａは開口状態にある導水口５を閉じるように蓋をする位置に配置される（図３，図６参照）。逆に、手動ウィンチ１５でダンパー手段Ａを巻き上げると、ダンパー手段Ａは引き上げられ、導水口５は、図５に示すように全開放されてオープン状態となり、導水口５に堆積した土砂などが、水位計測槽４内に貯留された水の水圧により外部へ排出して清掃することが可能となる。他方、巻き上げられたダンパー手段Ａは陸上でその保守点検が可能となる。
【００４７】
第１実施例の作用を説明する。すなわち、図６，図９に示すように、ダンパー手段Ａが導水口５を塞ぐ位置に下ろされた場合には、ダンパー手段Ａは導水口５の全面を覆うように対面した状態で何ら人為操作を要することなくセットされる。このため、従来のようにアンカーボルトでダンパー手段Ａを締結する作業を要することなく、セットできるようになる。
【００４８】
セットされた状態では、ダンパー手段Ａはレール部材６のコ字型断面のレール溝に嵌り込んでいるので、波浪による外力を受けてもほとんどガタのない状態で導水口５を塞ぐようにして蓋をする状態を維持する。このため、ダム水Ｗ側と導水口５側とは、ボックス１２の穴１２ａ、ダンパー部材Ｂの穴１０ａおよび緩衝部材１１を介して連通する。これにより水位計測槽４内の水位は、ダム水Ｗの水位と同じになる。また、ダンパー手段Ａの存在により、波浪を緩衝することができ、同時に、水位計測槽４へ土砂などが流入するのを緩衝部材１１の存在により防止できる。したがって、水位計７の応答遅れなどを阻止し、水位計７による計測精度を向上でき、円滑なダム操作を実行することが可能となる。
【００４９】
他方、導水口５周りを保守点検する場合には、手動ウィンチ１４でダンパー手段Ａをひきあげて、図５のように導水口５をオープン状態にする。すると、導水口内に溜まっていた土砂や塵芥物などは水位計測槽４側から流出する水流によって外部へ強制的に洗い流され、自動的に清掃することができる。
【００５０】
また、巻き上げられたダンパー手段Ａは、陸上でボックス１２本体へ付着した土砂やゴミなどを取り除くことができ、また、水位計７の応答状態に見合った緩衝部材１１の追加や調整変更、ボックス１２や鉄板１０の穴１２ａ，１０ａの大きさを適宜変えたものに取り替え変更などが可能となる。保守点検作業を終了した後は、再びダンパー手段Ａに組み込んで手動ウィンチ１４によりレール部材６に沿って導水口５まで下ろしてセットすることで、水位の計測が再開可能となる。
【００５１】
［第２実施例］
第２実施例を、図１０〜図１２に基づいて説明する。すなわち、第１実施例では、ボックス１２をレール部材６に沿ってスライドさせる構成であったが、この第２実施例では底部を有するボックス２０を導水口５に対面する位置で水位塔の壁面に固定し、ダンパー部材Ｂ１のみをレール部材６にスライドさせ、ボックス２０に収納自在となる構造にしている。具体的に説明すると、図１０に示すように、ボックス２０は、実質的には第１実施例のボックス１２と同一の構造を備えるもので、導水口に対面する側の表裏一対の面を形成する板部２１は、レール６ａに溶着してボックス形状に形成される。板部２１には、上記第１実施例と同様に複数個の水を通す複数個（例えば９個）の穴２１ａが設けられる。レール６ａの外側は、ブラケット６ｅが溶着され、アンカーボルト６ｃにより固着される。こうして、ボックス２０は、レール部材６と一体的に水位塔２の外壁に固定され、後述するダンパー部材Ｂ１を滑らかにボックス２０に差し込んだり抜き出したりできる構造となる。
【００５２】
一方、上記ボックス２０に差し抜き自在となるダンパー部材Ｂ１は、図１１，図１２に示されるように、第１実施例の鉄板１０と緩衝部材１１と同様の構造を備えた鉄板２２と緩衝部材２３とを有し、かつ、鉄板２２には、複数個の穴２２ａが形成される。この穴２２ａはボックス２０に設けた穴２１ａと対応するように設けられている。緩衝部材２３は２枚の鉄板２２によりサンドイッチ状に挟まれてユニット体２４が形成される。このユニット体２４の外周に、フレーム部材２４が嵌め込まれる。
【００５３】
フレーム部材２５は、全体として額縁形状を有し、ユニット体２４の底部に嵌合するコ字断面の底辺部２５ａと、同底辺部２５ａにヒンジ２５ｂを介して回動可能に設けられ、ユニット体２４の側縁部に嵌合するコ字断面の側辺部２５ｃと、ユニット体２４の上部に蓋をするように嵌合されるコ字断面の上辺部２５ｄとでなる。上辺部２５ｄには、ワイヤー結合部２５ｅと、両端に上方に折り曲げられた折り曲げ辺部２５ｆが形成される。折り曲げ辺部２５ｆには、側辺部２５ｃの上端に設けたボルト締結穴２５ｃ１に合致するボルト締結穴２５ｆ１が設けられる。
【００５４】
ダンパー部材Ｂ１を組み立てるには、ユニット体２４の外周に上記フレーム部材２５を嵌め込み、ボルト締結穴２５ｃ１と２５ｆ１とを合致させ、図示しないボルトにより締結する。これにより、図１１に示すように、ダンパー部材Ｂ１がユニット化して組み立てられる。
【００５５】
上記第２実施例によれば、ユニット化されたダンパー部材Ｂ１のワイヤー結合部２５ｅにワイヤー８（図１参照）を通して結合し、図１０に示すレール部材６に嵌め込む。これにより、ダンパー部材Ｂ１をワイヤー８で吊り下げて手動ウィンチ１４により下方にスライド移動させる。ダンパー部材Ｂ１がボックス２０に収納されると、レール部材６の最下方位置に到達して導水口５（図５参照）が塞がれる。このとき、ボックス２０の穴２１ａは、ダンパー部材Ｂ１の穴２２ａとほぼ一致して連通状態となる。導水口５の保守点検を行う場合には、手動ウィンチ１４でダンパー部材Ｂ１だけをボックス２０から抜き出して引き上げる。これにより、ダンパー部材Ｂ１からフレーム部材２５を外して分解し、鉄板２２や緩衝部材２３のメンテナンスが行えるとともに、導水口５から溜まった土砂や塵芥物を強制的に外部へ排出することができ、さらに、アンカーボルト６ｃを保守点検のたびに取り外す作業を不要化でき、スムーズに保守点検が実施できるようになる。
【００５６】
なお、上記第２実施例では、ボックス２０はレール部材６に一体に取り付けたが、この代わりに、図１３に示すように、別体に取り付けた変形例にしても良い。すなわち、ボックス３０は、ダンパー部材Ｂ１の穴２２ａに対応するように穴３０ａを備え、その両側にブラケット３１を溶着して取り付け、そこにアンカーボルト３２により導水口５周囲の外壁（堰堤）１に締結して固定する。ボックス３０上方の開口部には、レール部材６の下端と不連続となるが、レール部材６とボックス３０との間をダンパー部材Ｂ１が逸脱することなく円滑に移動できる程度の隙間が存する。したがって、この変形例によっても、上記第２実施例とほぼ同様の作用効果を有する。
【００５７】
以上、本発明の施の形態を図面により詳述してきたが、具体的な構成はこの実施の形態に限られるものでなく、本発明の要旨を逸脱しない範囲の設計変更等があっても本発明の範囲に含まれるものである。
【００５８】
例えば、上記第１実施例、第２実施例およびその変形例におけるボックスに設けた穴１２ａ，２１ａ、３０ａは、鉄板に設けた穴１０ａ，２２ａとほぼ同じ穴径で、かつ、上下方向で両穴が合致するように連通する構造にしたが、この代わりに、図１４（ａ）、（ｂ）に示すように、互いの穴の位置をずらすように配置した構造にしても良い。すなわち、ボックス側に設けられる穴Ｈ１と、鉄板１０，２２側に設けられる穴Ｈ２との穴径をほぼ同じ内径とする。ボックス側の穴Ｈ１の上下位置はそのままとし、内部に配置される鉄板１０、２２側の穴Ｈ２だけを上下方向に位置をオフセット配置するように形成したものである。また、図１４（ｃ）のように、鉄板側の穴Ｈ２の内径をボックス側の穴Ｈ１のそれよりも小さく形成した態様でも可能である。係る変形例により、水位計の応答状態に応じて水位変動に対する応答特性を微調整することができる。
【００５９】
また、上記各実施例および各変形例においては、ダンパー部材Ｂ，Ｂ１には必ず二枚の鉄板を使用して緩衝部材１１、２３の両側から挟むようにしたが、鉄板は一枚使用し、これを緩衝部材１１，２３のいずれかの側の面に設けるようにする態様にしても良いのは言うまでもない。
【００６０】
また、上記第１実施例においては、ダンパー部材Ｂを収納するためのボックス１２を設けた構造について説明したが、図１１，図１２に示す態様のダンパー部材Ｂ１を用いれば、ボックス１２を不要化してもよいものである。これによれば、ボックスを省略でき、部品点数を少なくできる。
【００６１】
また、緩衝部材１１の両面に鉄板１２を設ける場合に、各鉄板１２に設けられる穴１２ａの大きさ、個数、配置は、互いに異なる態様にしてもよい。これにより、計測精度の調整を行うことが可能となる。
【産業上の利用可能性】
【００６２】
本発明の水位計測用導水口の導水装置は、ダム水管理を行う水位塔だけでなく、河川水の取水口における取水塔、河川へ内陸の排水を排出する排水塔、河川氾濫の治水管理を行う貯水池の水位塔、上下水道の貯水池の水位管理塔、あるいは原子力発電プラントでの冷却水取り入れ用の海水取水口にも設置して利用できるものである。
【図面の簡単な説明】
【００６３】
【図１】本発明の第１実施例における水位計測用導水口の導水装置が設置される概略構成を示す外観正面図である。
【図２】図１の外観側面図である。
【図３】図１のＥ部における拡大正面図である。
【図４】（ａ）は、図３のＦ−Ｆ線における断面図、（ｂ）は図３のＧ−Ｇ線における断面図である。
【図５】第１実施例に係り、オープン状態の導水口を示す外観拡大斜視図である。
【図６】図６と同様の図で、ダンパー手段が導水口を閉じた状態を説明する外観拡大斜視図である。
【図７】（ａ）は、ダンパー手段の正面図、（ｂ）は、（ａ）の平面図、（ｃ）は、ダンパー部材の縦断面図である。
【図８】ダンパー手段の構成を、組み立て分解して示した外観斜視図である。
【図９】第１実施例を断面図で模式的に示して、その作用を説明する作用説明図である。
【図１０】第２実施例におけるレール部材下端の外観斜視図である。
【図１１】第２実施例におけるダンパー部材の外観斜視図である。
【図１２】第２実施例の上記ダンパー部材の構成を組み立て分解して説明する外観斜視図である。
【図１３】第２実施例の変形例を示す図１０と同様の外観斜視図である。
【図１４】ボックスとダンパー部材との組み立て構成における変形例の縦断面図である。
【図１５】従来装置の概要構成を示す断面図である。
【符号の説明】
【００６４】
１  堰堤
２  水位塔
３  水位観測室
４  水位計測槽
５  導水口
６  レール部材
６ａ  レール
６ｃ  アンカーボルト
６ｅ  ブラケット
６ｆ  締結ボルト
６ｇ  ストッパ板
７  水位計
８  ワイヤー
１０  鉄板（板状部材）
１０ａ  穴
１１  緩衝部材
１２  ボックス
１２ａ  穴
１３  蓋
１３ａ  ワイヤー結合部
１３ｂ  ボルト
２０  ボックス
２１  板部
２１ａ  穴
２２  鉄板（板状部材）
２２ａ  穴
２３  緩衝部材
２４  ユニット体
２５  フレーム部材
２５ａ  底辺部
２５ｂ  ヒンジ
２５ｃ  側辺部
２５ｄ  上辺部
３０  ボックス
３０ａ  穴
３１  ブラケット
３２  アンカーボルト
Ａ  ダンパー手段
Ｂ，Ｂ１  ダンパー部材
Ｈ１、Ｈ２  穴
Ｗ  ダム水
【図１】
2006249701.tif 000003
【図２】
2006249701.tif 000004
【図３】
2006249701.tif 000005
【図４】
2006249701.tif 000006
【図５】
2006249701.tif 000007
【図６】
2006249701.tif 000008
【図７】
2006249701.tif 000009
【図８】
2006249701.tif 000010
【図９】
2006249701.tif 000011
【図１０】
2006249701.tif 000012
【図１１】
2006249701.tif 000013
【図１２】
2006249701.tif 000014
【図１３】
2006249701.tif 000015
【図１４】
2006249701.tif 000016
【図１５】
2006249701.tif 000017